(57)【要約】【課題】暗色に着色された前面カバーを文字板に対して、傾斜させて設けた計器装置において、文字板を均一に照明することが可能な計器の照明構造を提供するものである。【解決手段】指針７と、この指針７の背後に設けられる文字板８と、文字板８を透過照明し文字板８の背後に設けられる複数の点状光源９ｂと、文字板８に対して傾斜して文字板８前面に設けられる暗色に着色された暗色に着色された前面カバー１８とを備えた計器の照明構造において、文字板８と前面カバー１８間の距離Ｌ１が短い部分に対応する文字板１８部分を照明する複数の点状光源９ｂ間の間隔Ｄ１に比べて、文字板８と前面カバー１８間の距離Ｌ２が長い部分に対応する文字板１８部分を照明する複数の点状光源９ｂ間の間隔Ｄ３を短くしたものである。【選択図】  図３
2004184096.tif 000002
【特許請求の範囲】
【請求項１】
指針と、この指針の背後に設けられる文字板と、前記文字板を透過照明し前記文字板の背後に設けられる複数の点状光源と、前記文字板に対し傾斜して前記文字板前面に設けられる暗色に着色された前面カバーとを備えた計器の照明構造において、前記文字板と前記前面カバー間の距離が短い部分に対応する文字板部分を照明する前記複数の点状光源間の間隔に比べて前記文字板と前記前面カバー間の距離が長い部分に対応する文字板部分を照明する前記複数の点状光源間の間隔を短くしたことを特徴とする計器の照明構造。
【請求項２】
指針と、この指針の背後に設けられる文字板と、前記文字板を透過照明し前記文字板の背後に設けられる複数の点状光源と、前記文字板に対し傾斜して前記文字板前面に設けられる暗色に着色された前面カバーとを備えた計器の照明構造において、前記文字板と前記前面カバー間の距離が長くなるに従って前記複数の点状光源間の間隔を短くしたことを特徴とする計器の照明構造。
【請求項３】
前記点状光源を発光ダイオードとしたことを特徴とする請求項１または請求項２に記載の計器の照明構造。
【請求項４】
前記複数の点状光源を収納する照明空間を形成する照明室を前記文字板の背後に設けたことを特徴とする請求項３に記載の計器の照明構造。
【発明の詳細な説明】
【０００１】
【発明の属する技術分野】
本発明は、例えば自動車やオートバイに搭載される計器に関し、特にその照明構造に関する。
【０００２】
【従来の技術】
従来の計器には、指針を備えた文字板をフロントカバーで覆ったものがある。また、このフロントカバーを光透過率が約２５％の暗色系の半透明としたものがある。このフロントカバーを備えた計器は、イグニッションスイッチがオフの時には、フロントカバーによって文字板や指針が見えないようになっている。しかし、イグニッションスイッチをオンにすると文字板や指針が発光して文字板や指針が見えるようになっている（例えば、特許文献１参照）。
【０００３】
【特許文献１】
特開２００１−１１６５９５号公報（図１、図３）
【０００４】
【発明が解決しようとする課題】
このような計器の照明構造では、文字板の背後に光源がほぼ均等間隔で設けられているが、フロントカバーを通して文字板を視認すると、輝度が不均一で照明ムラを生じる虞があった。これは、文字板の輝度はフロントカバーを通さなければ輝度は均一であるが、フロントカバーが文字板に対して、傾斜した状態で設けられているので、フロントカバーと文字板間の間隔は均一ではない。このため、フロントカバーと文字板との間隔が短い部分は明るく、間隔が長い部分は暗くなる。また、フロントカバーの板厚がほぼ均一であっても、フロントカバーの断面形状が文字板側に突き出るような曲線形状の場合は、フロントカバーの曲線による傾斜の角度によって、文字板に対する垂直方向の板厚が異なるため、板厚の薄い部分と板厚の厚い部分では光透過率が異なるため、輝度の不均一を招き、照明ムラを生じる虞があった。
【０００５】
本発明はこれらの点に鑑みてなされたもので、その主な目的は、暗色に着色された前面カバーを文字板に対して、傾斜させて設けた計器装置において、文字板を均一に照明することが可能な計器の照明構造を提供するものである。
【０００６】
【課題を解決するための手段】
本発明は、前記目的を達成するため、指針と、この指針の背後に設けられる文字板と、前記文字板を透過照明し前記文字板の背後に設けられる複数の点状光源と、前記文字板に対し傾斜して前記文字板前面に設けられる暗色に着色された前面カバーとを備えた計器の照明構造において、前記文字板と前記前面カバー間の距離が短い部分に対応する文字板部分を照明する前記複数の点状光源間の間隔に比べて前記文字板と前記前面カバー間の距離が長い部分に対応する文字板部分を照明する前記複数の点状光源間の間隔を短くしたものである。
【０００７】
また、指針と、この指針の背後に設けられる文字板と、前記文字板を透過照明し前記文字板の背後に設けられる複数の点状光源と、前記文字板に対し傾斜して前記文字板前面に設けられる暗色に着色された前面カバーとを備えた計器の照明構造において、前記文字板と前記前面カバー間の距離が長くなるに従って前記複数の点状光源間の間隔を短くしたものである。
【０００８】
また、前記点状光源を発光ダイオードとしたものである。
【０００９】
また、前記複数の点状光源を収納する照明空間を形成する照明室を前記文字板の背後に設けたものである。
【００１０】
【発明の実施の形態】
本発明による計器装置は、指針７と、この指針７の背後に設けられる文字板８と、文字板８を透過照明し文字板８の背後に設けられる複数の点状光源９ｂと、文字板８に対し傾斜して文字板８前面に設けられる暗色に着色された前面カバー１８とを備えた計器の照明構造において、文字板８と前面カバー１８間の距離Ｌ１が短い部分に対応する文字板１８部分を照明する複数の点状光源９ｂ間の間隔Ｄ１に比べて、文字板８と前面カバー１８間の距離Ｌ２が長い部分に対応する文字板１８部分を照明する複数の点状光源９ｂ間の間隔Ｄ３を短くしたものである。このように構成したことにより、暗色に着色された前面カバー１８を文字板８に対して、傾斜させて設けた計器装置において、文字板８を均一に照明することが可能な計器の照明構造を提供することができる。
【００１１】
また、本発明は、指針７と、この指針７の背後に設けられる文字板８と、文字板８を透過照明し文字板８の背後に設けられる複数の点状光源９ｂと、文字板８に対し傾斜して文字板８前面に設けられる暗色に着色された前面カバー１８とを備えた計器の照明構造において、文字板８と前面カバー１８間の距離が長くなるに従って複数の点状光源９ｂ間の間隔を短くしたものである。このように構成したことにより、暗色に着色された前面カバー１８を文字板８に対して、傾斜させて設けた計器装置において、文字板８を均一に照明することが可能な計器の照明構造を提供することができる。
【００１２】
また、本発明は、点状光源９ｂを発光ダイオードとしたものである。このように構成したことにより、点状光源９ｂをコンパクトにすることができ、計器の小型化を図ることが可能な計器の照明構造を提供することができる。
【００１３】
また、本発明は、複数の点状光源９ｂを収納する照明空間１０を形成する照明室１１を文字板８の背後に設けたものである。このように構成したことにより、指向性の強い発光ダイオードを点状光源９ｂに用いても、照明室１１の照明空間１０内で発光ダイオード９ｂからの光を十分に拡散させることが可能な計器の照明構造を提供することができる。
【００１４】
【実施例】
以下、添付図面に基づいて本発明の一実施例を説明する。なお、一実施例は、本発明を車載用の計器装置に適用したものである。
【００１５】
図１において、本実施例を採用した計器装置１は、速度計２、回転計３、燃料計４、水温計５と表示器６とから構成されている。
【００１６】
本実施例を、速度計２を例にとって説明する。図１から図３で示すように、速度計２は、指針７と、この指針７の背後に設けられる文字板８と、指針７や文字板８を透過照明し文字板８の背後に設けられる複数の点状光源９ａ，９ｂと、照明空間１０を形成する照明室１１を備えたフレーム１２と、ガラスエポキシ樹脂からなる硬質の回路基板１３と、この回路基板１３の背後に設けられる計器本体１４と、各種計器２〜５の各文字板８の一部を露出する開口１５を備えた見返し１６と、この見返し１６に一体に形成し周囲を囲むフード１７と、文字板８に対して傾斜してフード１７に設けられた暗色に着色された前面カバー１８と、回路基板１３の背後を覆う背面カバー１９とを備えている。
【００１７】
指針７は、光透過性合成樹脂からなり文字板８の板面に沿って延びる指示部７１と、指針７の回転中心部を覆う略カップ型の遮光性合成樹脂からなる指針キャップ７２とで構成されている。
【００１８】
文字板８は、それぞれが透明体からなる基材の表面に、遮光性印刷層からなる地色部Ｂ（図１参照）と、透光性印刷層からなり各指針７の指示対象となる目盛、文字、マーク等の表示部Ｍ（図１参照）とが形成され、表示部Ｍは地色部Ｂを除いた部位に設けられている。また、速度計２の文字板８には、その下方に、液晶表示器６が露出する開口２１を備えている。
【００１９】
点状光源９ａ，９ｂは本実施例において、チップ型の発光ダイオードであり、回路基板１３に実装されている。回路基板１０にはフレーム１２も固定されており、このフレーム１２に文字板８が固定されている。このフレーム１２は白色の合成樹脂によって形成されており、フレーム１２には、指針７を照明する点状光源９ａと文字板８を照明する光源９ｂとを仕切る円筒状の仕切り壁２２を備えており、また、文字板８照明用の点状光源９ｂを収納する収納空間１０を形成する照明室１１を備えており、この照明室１１は、仕切り壁２２とお椀状の反射壁２３とで構成されている。この照明室１１は、図３で示すように、正面から見るとＣ字状に形成されている。指針照明用の点状光源９ａは、指針７の回転中心を軸とした円上に等間隔で設けられている。また、文字板照明用の点状光源９ｂは、指針７の回転中心を軸として円上に設けられており、点状光源９ｂ間の間隔は均等ではなく、不等間隔で設けられている。図３で示すように、点状光源９ｂの間隔は、間隔Ｄ１＞間隔Ｄ２＞間隔Ｄ３のように設定されている。
【００２０】
本実施例では、間隔Ｄ１は５０度、間隔Ｄ２は４０度、間隔Ｄ３は３０度である。この間隔は、指針７の回転中心を中心とした角度である。なお、この点状光源９ｂ間の間隔は、発光点である素子９ｃ間の距離である。
【００２１】
このように照明室１１を設けたことにより、指向性の強い発光ダイオードを用いても、照明室１１の照明空間１０内で発光ダイオードからの光を十分に拡散させることができる。
【００２２】
なお、図２中、２４は指針７用の導光体であり、点状光源９ａからの光を指針７に導くものである。また、２５は文字板８用の導光体であり、点状光源９ｂからの光を反射壁２３方向に導き、文字板８を照明するものである。
【００２３】
計器本体１４は本実施例では、交差コイル式計器を採用している。この計器本体１４は指針軸２６を備えており、この指針軸２６の端部に指針７が固定されている。そして、この指針軸２６を回転させることによって、指針７を回転させて、指針７の指示部７１と文字板８の表示部Ｍとを対比させて、速度を指示する。なお、計器本体１４は、本実施例の交差コイル式計器であるが、本実施例に限定されるものではなく、指針７を駆動させることができるものであれば、どのような計器本体を用いても良いが、他の計器本体としては、ステッピングモータなどがある。
【００２４】
本実施例においては、表示器６は液晶表示器６であり、速度計２の文字板８の下側部分に設けられている。この液晶表示器６は、液晶表示素子２０ａ、液晶ホルダ２０ｂ、点状光源２０ｃ及びフレキシブルケーブル２０ｄとで構成されている。液晶表示素子２０ａはフレキシブルケーブル２０ｄによって、回路基板１３と電気的に接続されている。
【００２５】
見返し１６とフード１７は遮光性で黒色の合成樹脂からなり、一体に形成されたこの見返し１６とフード１７は、フレーム１２に固定されている。また、背面カバー１９は、遮光性で白色の合成樹脂からなり、見返し１６やフード１７と同様にフレーム１２に固定されている。
【００２６】
また、フード１７の前方に前面カバー１８が固定されている。この前面カバー１８は、例えば、黒色で着色されており、透過率が低いものである。なお、色は黒に限定されず、透過率が低いと黒ずんで見え、暗色に着色されたように見える。文字板８に対して傾斜してフード１７に設けられている。特に、本実施例においては、前面カバー１８は文字板２側に突出するように湾曲している（図２参照）。
【００２７】
本実施例では、文字板１８の位置によって、前面カバー１８と文字板８との距離が異なり、文字板１８の上側の部分と前面カバー１８間の距離Ｌ１は、文字板１８の下側の部分と前面カバー１８間の距離Ｌ２に比べて短くなっており、本実施例では、文字板８の上側から下側に向かうに従って、文字板８と前面カバー１８間の距離は長くなっている。このため、文字板８の下側部分が奥まっているため、暗く見えやすい。
【００２８】
さらに、本実施例では、前面カバー１８は、文字板８側に湾曲しているため、図２中のＬ１線部分のＬ１線方向の前面カバー１８の厚みＴ１に対して、Ｌ２線部分のＬ２線方向の前面カバー１８の厚みＴ２は厚く、本実施例では、前面カバー１８の上側から下側に向かうに従って、前面カバー１８の厚みは厚くなっていく、このため、通常では、文字板８の下側部分は、暗く見える。しかし、本実施例では、前述したように、文字板照明用の点状光源９ｂは、点状光源９ｂ間の間隔は均等ではなく、図３で示すように、点状光源９ｂの間隔は、間隔Ｄ１＞間隔Ｄ２＞間隔Ｄ３のように、下側ほど点状光源９ｂの間隔Ｄ３が狭くなるように設けられているため、文字板８と前面カバー１８間の距離は長く、文字板８の下側部分が奥まっており、さらに、前面カバー１８が湾曲したことによって、前面カバー１８の厚みが厚くなっている場合でも、前面カバー１８を介して文字板８の表示部Ｍを視認すると、均一な明るさを有して視認される。
【００２９】
なお、本実施例では、文字板８と前面カバー１８間の距離は長い場合と、前面カバー１８が湾曲した場合とが２つ重なったが、どちらか一方の場合のみでも、本発明を採用することで、均一な照明を行うことが可能な計器の照明構造を提供することができる。
【００３０】
また、本実施例のように、文字板８と前面カバー１８間の距離が離れている部分に液晶表示器６などが設けられ、照明室１１や点状光源９ｂの配置に制限がある場合でも、本実施例を採用することにより、液晶表示器６近傍部分の輝度を高めることができ、前面カバー１８を通して文字板８を視認する場合に、均一に照明することができる。
【００３１】
本発明の他の実施例として、図４，５に示すものがある。なお、前記実施例と同一及び相当箇所には同一符号を付してその詳細な説明は省略する。本実施例は、前記一実施例の計器装置１に向かって速度計２の左隣にある回転計３に採用されている。この回転計３の前面を覆う前面カバー１８は、前記一実施例と同様に、図１中下方向に向かうに従って、文字板８から離れている。さらに、本実施例では、図１のＢ−Ｂ線の方向では、左に向かうに従って、文字板８から離れるように傾斜するとともに、文字板８側に突出するように湾曲している。つまり、前面カバー１８は図１に示した正面図において、上下左右に湾曲しており、これにともなって前面カバー１８と文字板８との間隔Ｌ１，Ｌ２は上下左右の方向で異なっている。さらに、図４に示すように、右側の距離Ｌ３に比べて左側の距離Ｌ２が長くなっている。よって、回転計３の前面カバー１８は、回転計３を正面視した状態で、回転計３の右上部分の前面カバー１８と文字板８間の距離が短く、左下部分の前面カバー１８と文字板８間の距離が長くなるように形成されている。また、本実施例においても、前面カバー１８は、文字板８側に突出するように湾曲しているので、前面カバー１８の厚みも、回転計３を正面視した状態で、右上部分の厚みＴ３が薄く、左下部分の厚みＴ４が厚くなるように形成されている。
【００３２】
このような前面カバー１８の形状や配置において、文字板８を透過照明する点状光源９ｂの配置は、図５で示すような配置となる。すなわち、左下部分の点状光源９ｂの間隔がＤ６と狭く、この間隔Ｄ６が２つ続き、そこから、時計回りに点状光源９ｂの間隔が間隔Ｄ６に対してＤ５，Ｄ４と広くなり、さらに時計回りに下側に移動するに従い、間隔Ｄ４に対して間隔がＤ５，Ｄ６と狭くなっていく。このように配置することにより、前記実施例と同様に、点状光源９ｂ間の間隔Ｄ６が短い部分は明るく、間隔Ｄ４が長い部分は暗くなり、前面カバー１８を介して文字板８の表示部Ｍを視認すると、均一に照明することができる。
【００３３】
なお、前記各実施例においては、点状光源９ｂは、各計器のそれぞれ指針７の回転中心付近に設けてあったが、前記実施例に限定されるものではなく、文字板８の周辺部に設けてもよい。
【００３４】
【発明の効果】
以上、本発明により、初期の目的を達成することができ、暗色に着色された前面カバーを文字板に対して、傾斜させて設けた計器装置において、文字板を均一に照明することが可能な計器の照明構造を提供することができる。
【図面の簡単な説明】
【図１】本発明の計器装置の正面図である。
【図２】本発明の一実施例で図１のＡ−Ａ線に沿った断面図である。
【図３】同実施例の点状光源の配置を示す正面図である。
【図４】本発明の他の実施例で図１のＢ−Ｂ線に沿った断面図である。
【図５】同実施例の点状光源の配置を示す正面図である。
【符号の説明】
１      計器装置
２      速度計
３      回転計
６      表示器（液晶表示器）
７      指針
８      文字板
９ａ，９ｂ  点状光源
１０      照明空間
１１      照明室
１８      前面カバー
Ｄ１，Ｄ２，Ｄ３，Ｄ４，Ｄ５，Ｄ６  点状光源間の間隔
Ｌ１，Ｌ２，Ｌ３，Ｌ４  文字板と前面カバー間の距離
Ｔ１，Ｔ２，Ｔ３，Ｔ４  前面カバーの厚み
【図１】
2004184096.tif 000003
【図２】
2004184096.tif 000004
【図３】
2004184096.tif 000005
【図４】
2004184096.tif 000006
【図５】
2004184096.tif 000007